(57)【要約】【課題】プリント基板側の接続用端子を要せずに、プリント基板側と電線とを電気的に接続でき、製作費用を削減できるプリント基板用コネクタを提供する。【解決手段】表面に配線パターン２が形成されるプリント基板３に、配線パターン２を構成する基板側接続部２ａを設け、プリント基板３と一体に、且つ基板側接続部２ａを囲うように形成される基板側ハウジング５に、着脱側ハウジング６を嵌挿することで、着脱側ハウジング６内に収容される接続端子７の端子側接続部７ａを基板側接続部２ａに電気的に接続する。【選択図】図１
2010097715.tif 000002
【特許請求の範囲】
【請求項１】
表面に配線パターンが形成されるプリント基板と、
該配線パターンを構成する基板側接続部と、
該プリント基板と一体に、且つ該基板側接続部を囲うように形成される基板側ハウジングと、
該基板側ハウジングに着脱自在に嵌挿される着脱側ハウジングと、
該着脱側ハウジング内に収容される接続端子と、
該接続端子の先端側に位置し、該基板側接続部に電気的に接続される端子側接続部と、
該接続端子の基端側に位置し、電線を接合しつつ、保持する電線保持部とを備え、
該着脱側ハウジングを基板側ハウジングに嵌挿することで、該端子側接続部が該基板側接続部に電気的に接続されることを特徴とするプリント基板用コネクタ。
【請求項２】
請求項１記載のプリント基板用コネクタであって、
前記基板側接続部が、前記プリント基板の端縁に該端縁と直交するように配置され、
前記着脱側ハウジングを前記プリント基板の面に沿って移動させて前記基板側ハウジングに嵌挿することを特徴とするプリント基板用コネクタ。
【請求項３】
請求項２記載のプリント基板用コネクタであって、
前記端子側接続部の側部の少なくとも一方に嵌挿方向に沿って形成される側板部と、
前記プリント基板の前記基板側接続部の近傍に、前記着脱側ハウジングの嵌挿方向に延びるスリットとを備え、
前記着脱側ハウジングが前記基板側ハウジングに嵌挿された際に、該側板部が該スリットに挿入されることを特徴とするプリント基板用コネクタ。
【請求項４】
請求項１記載のプリント基板用コネクタであって、
前記プリント基板の前記基板側ハウジング近傍に、切欠部を穿設したことを特徴とするプリント基板用コネクタ。
【請求項５】
請求項１記載のプリント基板用コネクタであって、
前記端子側接続部に、弾性変形可能に形成されたバネ部を備え、
前記着脱側ハウジングが前記基板側ハウジングに嵌挿された際に、該バネ部によって、該端子側接続部が、基板側接続部に当接保持されることを特徴とするプリント基板用コネクタ。
【発明の詳細な説明】
【技術分野】
【０００１】
本発明は、プリント基板表面に形成される配線パターンと電線との電気的な接続を行うプリント基板用コネクタに関する。
【背景技術】
【０００２】
この種の従来技術に関連するものとしては、特許文献１に開示されたプリント基板用コネクタがある。この従来のプリント基板用コネクタは、プリント基板を収容するケースの外側に配置されるコネクタハウジングと、プリント基板の端子孔にそれぞれ半田付けして突設する複数の端子とを備えている。上記構成では、複数の端子をプリント基板の端子孔にそれぞれリフロー処理により半田付けして突設した後、プリント基板を収容するケースの外側にコネクタハウジングを設けるとともに、上記端子の先端側を上記コネクタハウジング内に突出させる。次いで、コネクタハウジングに、あらかじめ電線（ワイヤハーネス）に接合した端子を収容する相手側コネクタハウジングを嵌挿させることにより、プリント基板側コネクタハウジング内の端子および電線側コネクタハウジング内の端子を介してプリント基板上の配線パターンと電線との電気的な接続が行われる。
【特許文献１】特開２００８−１１７６７５号公報
【発明の開示】
【発明が解決しようとする課題】
【０００３】
しかしながら、特許文献１のプリント基板用コネクタにあっては、プリント基板側ハウジング内の複数の端子をプリント基板の端子孔にそれぞれ半田付けして突設する工程を要するので、その分手間が掛かるとともに、プリント基板側コネクタハウジング内の端子と電線側コネクタハウジング内の端子とをそれぞれ確実に接続するのに煩雑な接続構造を要し、したがって、製作費用がかさむという問題があった。
【０００４】
そこで、本発明は、前記した課題を解決すべくなされたものであり、プリント基板側の接続用端子を要せずに、プリント基板表面に形成される配線パターンと電線との電気的な接続を行うことができ、製作費用の削減を図ることができるプリント基板用コネクタを提供することを目的とする。
【課題を解決するための手段】
【０００５】
請求項１の発明は、表面に配線パターンが形成されるプリント基板と、該配線パターンを構成する基板側接続部と、該プリント基板と一体に、且つ該基板側接続部を囲うように形成される基板側ハウジングと、該基板側ハウジングに着脱自在に嵌挿される着脱側ハウジングと、該着脱側ハウジング内に収容される接続端子と、該接続端子の先端側に位置し、該基板側接続部に電気的に接続される端子側接続部と、該接続端子の基端側に位置し、電線を接合しつつ、保持する電線保持部とを備え、該着脱側ハウジングを基板側ハウジングに嵌挿することで、該端子側接続部が該基板側接続部に電気的に接続されることを特徴としている。
【０００６】
請求項２の発明は、請求項１記載のプリント基板用コネクタであって、前記基板側接続部が、前記プリント基板の端縁に該端縁と直交するように配置され、前記着脱側ハウジングを前記プリント基板の面に沿って移動させて前記基板側ハウジングに嵌挿することを特徴としている。
【０００７】
請求項３の発明は、請求項２記載のプリント基板用コネクタであって、前記端子側接続部の側部の少なくとも一方に嵌挿方向に沿って形成される側板部と、前記プリント基板の前記基板側接続部の近傍に、前記着脱側ハウジングの嵌挿方向に延びるスリットとを備え、前記着脱側ハウジングが前記基板側ハウジングに嵌挿された際に、該側板部が該スリットに挿入されることを特徴としている。
【０００８】
請求項４の発明は、請求項１記載のプリント基板用コネクタであって、前記プリント基板の前記基板側ハウジング近傍に、切欠部を穿設したことを特徴としている。
【０００９】
請求項５の発明は、請求項１記載のプリント基板用コネクタであって、前記端子側接続部に、弾性変形可能に形成されたバネ部を備え、前記着脱側ハウジングが前記基板側ハウジングに嵌挿された際に、該バネ部によって、該端子側接続部が、基板側接続部に当接保持されることを特徴としている。
【発明の効果】
【００１０】
請求項１の発明によれば、着脱側ハウジング内の接続端子を配線パターンの基板側接続部に直接接続するので、プリント基板側の接続用端子を要せずに、プリント基板表面に形成される配線パターンと電線との電気的な接続を行うことができ、従来のように複数の端子をプリント基板の端子孔にそれぞれ半田付けして突設する工程や、プリント基板側端子と電線側端子とを接続する構造が不要であるので、製作費用の削減を図ることができる。
【００１１】
請求項２の発明によれば、プリント基板の端部に設けた基板側ハウジングに対して、着脱側ハウジングをプリント基板の面に沿って移動させて嵌挿する際に、プリント基板の面に形成した配線パターン上を接続端子が摺接して基板側接続部に当接するので、接続端子をプリント基板の面と垂直な方向に移動させてプリント基板の基板側接続部に当接させる場合と比べて、端子を基板側接続部に対してより良好な状態で接触させることができる。
【００１２】
請求項３の発明によれば、接続端子に設けた側板部がプリント基板の基板側接続部の近傍に設けたスリットと係合し、このスリットが着脱側ハウジングの嵌挿方向に延びているので、着脱側ハウジングをプリント基板の面に沿って移動させて基板側ハウジングに嵌挿する際に、接続端子を側板部により上記嵌挿方向に案内することができ、接続端子の位置決めを円滑に行うことができる。また、側板部により端子を損傷などから保護することができる。
【００１３】
請求項４の発明によれば、プリント基板の基板側ハウジングの近傍に穿設した切欠部により、プリント基板との線膨張差により半田に生じる応力が逃がされるので、上記半田が固化したときにクラックの発生を抑制でき、半田付け強度の信頼性を高めることができる。
【００１４】
請求項５の発明によれば、端子がバネ部を介して配線パターンの接続部に弾性的に当接するので、端子が配線パターンの接続部に当接する状態をより確実に維持することができる。
【発明を実施するための最良の形態】
【００１５】
以下、本発明の一実施形態を図面に基づいて説明する。図１〜図３は本発明の一実施形態を示し、図１はプリント基板用コネクタの分解斜視図、図２はプリント基板および基板側ハウジングの斜視図、図３はプリント基板用コネクタの組立断面図である。なお、図２は内部構造の説明のため基板側ハウジングの一部を省略してある。
【００１６】
本願のプリント基板用コネクタ１は、図１〜図３に示すように、表面に配線パターン２が形成されるプリント基板３に設けられ、電線４と配線パターン２との電気的な接続を行うものである。コネクタ１は、プリント基板３にインサート成形される基板側ハウジング５と、接続端子７を収納し、基板側ハウジング５に嵌挿される着脱側ハウジング６とを有している。配線パターン２には、加熱時に表面の酸化を防止するために金メッキが施されている。
【００１７】
プリント基板３の端部には、配線パターン２の基板側接続部２ａが、プリント基板３の端縁に端縁と直交するように配置されるとともに、この基板側接続部２ａを囲うように基板側ハウジング５が設けられている。また、プリント基板３の基板側ハウジング５の近傍には、プリント基板３との線膨張差により半田（図示せず）に生じる応力を逃がすための切欠部３ａが穿設されている。
【００１８】
基板側ハウジング５は、筺体状の耐熱性樹脂材から構成され、一端側がプリント基板３の端部より外側に突出し、その端部に着脱側ハウジング６を受け入れる開口５ａを備えている。基板側ハウジング５の上板部５ｂおよび下板部５ｃは、それぞれプリント基板３の上方、下方に所定間隔をおいて平行に配置されている。なお、プリント基板３の切欠部３ａは、基板側ハウジング５の角部５ｄに隣接し、同様に、図示しない他の切欠部が基板側ハウジング５の他の角部５ｅに隣接している。
【００１９】
着脱側ハウジング６は、プリント基板３の面に沿って図１の矢印Ａ方向へ移動することにより開口５ａを介して基板側ハウジング５に嵌挿される。着脱側ハウジング６に収納される接続端子７は、先端部を折り曲げて湾曲させることにより形成されるバネ部７ｃを有し、このバネ部７ｃが配線パターン２の基板側接続部２ａに弾性的に当接するとともに、他端があらかじめ電線４に加締め接合される。
【００２０】
上記構成において、あらかじめ接続端子７を電線４に加締め接合して着脱側ハウジング６内に挿入した後、着脱側ハウジング６を基板側ハウジング５の開口５ａと対向させて、着脱側ハウジング６をプリント基板３の面に沿って図１の矢印Ａ方向へ移動させて開口５ａを介して基板側ハウジング５に嵌挿する。
【００２１】
このようにして着脱側ハウジング６を基板側ハウジング５に嵌挿することにより、着脱側ハウジング６内の接続端子７のバネ部７ｃが配線パターン２の基板側接続部２ａに弾性的に当接するので、この状態でリフロー処理を施すことにより接続端子７のバネ部７ｃと配線パターン２の基板側接続部２ａとを半田付けする。その際に、プリント基板３の基板側ハウジング５の近傍に穿設した切欠部３ａによって、プリント基板３との線膨張差により半田に加わる熱応力が逃がされる。
【００２２】
以上、本発明では、着脱側ハウジング６内の接続端子７を配線パターン２の基板側接続部２ａに直接接続するので、プリント基板３側の接続用端子を要せずに、プリント基板３表面に形成される配線パターン２と電線４との電気的な接続を行うことができ、従来のように複数の端子をプリント基板の端子孔にそれぞれ半田付けして突設する工程や、上記端子と電線側コネクタハウジングの端子とを接続する構造が不要であるので、製作費用の削減を図ることができる。
【００２３】
上記構成によれば、着脱側ハウジング６をプリント基板３の面に沿って図１の矢印Ａ方向へ移動させて基板側ハウジング５に嵌挿する際に、接続端子７が配線パターン２上を摺接して基板側接続部２ａに当接するので、端子をプリント基板の面と垂直な方向に移動させて配線パターンの接続部に当接させる場合と比べて、接続端子７を配線パターン２の基板側接続部２ａに対してより良好な状態で接触させることができる。
【００２４】
上記構成によれば、プリント基板３の基板側ハウジング５の近傍に穿設した切欠部３ａによって、プリント基板３との線膨張差により半田に生じる応力が逃がされるので、上記半田が固化したときにクラックの発生を抑制でき、半田付け強度の信頼性を高めることができる。
【００２５】
上記構成によれば、接続端子７がバネ部７ｃを介して配線パターン２の基板側接続部２ａに弾性的に当接するので、接続端子７が配線パターン２の基板側接続部２ａに当接する状態をより確実に維持することができる。
【００２６】
なお、上記実施形態にあっては、プリント基板３の上方のみに接続端子７を設けた場合を例示したが、本発明はこれに限らず、プリント基板３の上方および下方の両方に端子を設けることもできる。
【００２７】
さらに、上記実施形態にあっては、プリント基板３の端部長さ方向の一部のみに基板側ハウジング５を設ける場合を例示したが、プリント基板の端部長さ方向の全ての部分にわたって基板側ハウジングを設けることもできる。
【００２８】
図４は本発明の他の実施形態を示し、端子およびプリント基板の要部を示す分解斜視図である。なお、図４において前述した図１〜図３に示すものと同様のものには同一符号を付してある。
【００２９】
本願のプリント基板用コネクタは、図４に示すように、接続端子７に、接続端子７を両側から挟むように一対の側板部８が設けられるとともに、プリント基板３の配線パターン２の基板側接続部２ａ近傍に、一対の側板部８が係合する係合部としての一対のスリット３ｂが穿設され、各スリット３ｂは着脱側ハウジング６の嵌挿方向（図１の矢印Ａ方向）に延びている。
【００３０】
上記構成において、接続端子７に設けた一対の側板部８がプリント基板３の配線パターン２の近傍に設けたスリット３ｂと係合し、このスリット３ｂが着脱側ハウジング６の嵌挿方向に延びているので、着脱側ハウジング６をプリント基板３の面に沿って図１の矢印Ａ方向へ移動させて基板側ハウジング５に嵌挿する際に、接続端子７が一対の側板部８によりスリット３ｂに沿って上記嵌挿方向に案内される。
【００３１】
以上、本発明では、接続端子７がスリット３ｂに沿って上記嵌挿方向に案内されるので、接続端子７の位置決めを円滑に行うことができる。また、接続端子７が両側から一対の側板部８により挟まれているので、接続端子７を損傷などから保護することができる。
【図面の簡単な説明】
【００３２】
【図１】本発明の一実施形態を示し、プリント基板用コネクタの分解斜視図である。
【図２】本発明の一実施形態を示し、プリント基板および基板側ハウジングの斜視図である。
【図３】本発明の一実施形態を示し、プリント基板用コネクタの組立断面図である。
【図４】本発明の他の実施形態を示し、端子およびプリント基板の要部を示す分解斜視図である。
【符号の説明】
【００３３】
１…プリント基板用コネクタ
２…配線パターン
２ａ…基板側接続部
３…プリント基板
３ａ…切欠部
３ｂ…スリット
４…電線
５…基板側ハウジング
６…着脱側ハウジング
７…接続端子
７ａ…端子側接続部
７ｂ…電線保持部
７ｃ…バネ部
８…側板部
【図１】
2010097715.tif 000003
【図２】
2010097715.tif 000004
【図３】
2010097715.tif 000005
【図４】
2010097715.tif 000006